(57)【要約】【課題】例えば玄関子機４２で呼出操作がされると、親機４１を介して浴室子機５に呼出がされる。玄関子機４２で撮像された画像が浴室リモコン５を介して風呂リモコン３に送られ、風呂リモコン３のモニターは撮像画像に切り替わるが、その際風呂リモコン３にテレビ画像が表示されていればテレビ音声は発音され続け、浴室リモコン５から発せられるインターホンの音声が聞き取りにくく、かつ浴室からの音声にテレビ音声が重畳される。【解決手段】風呂リモコン３でテレビ画像を見ているときに外部から浴室リモコン５に呼出があるとテレビ音声を減音または消音することとした。【選択図】  図１
2004293973.tif 000002
【特許請求の範囲】
【請求項１】
浴室内に取り付けられ、給湯装置の作動を制御するリモコン部と、テレビ画像を表示するテレビ部と、リモコン部からの画像とテレビ部からの画像を択一的に表示するモニターとを備えると共に、少なくともテレビ音声を発音するスピーカ手段を備え、かつインターホンの親機または他の子機との間で通話する際に、インターホンの親機から送信されてきた画像をこのモニターに表示させる機能を有する風呂リモコンにおいて、モニターにテレビ画像を表示している状態でインターホンの親機または子機からの呼出があった場合に、テレビ音声を減音または消音することを特徴とするインターホン画像表示機能付き風呂リモコン。
【請求項２】
インターホンの親機または子機から呼出があった際にテレビ音声を減音し、浴室側から応答する際にテレビ音声を消音するようにしたことを特徴とする請求項１に記載のインターホン画像表示機能付き風呂リモコン。
【発明の詳細な説明】
【０００１】
【発明の属する技術分野】
本発明は、リモコン機能とテレビ機能とを備え、かつインターホンの親機から送られてくる画像を表示する機能を有し、浴室に設置されるインターホン画像表示機能付き風呂リモコンに関する。
【０００２】
【従来の技術】
浴室には給湯装置の作動を制御するためのリモコンが設置されている。また、近年入浴中にテレビ画像を見ることについての要求が高まっており、浴室内にテレビ装置を設置する例が増加している。さらに、上記の風呂リモコンとテレビ装置を別個に設置するのではなく、リモコンとしての機能とテレビ装置としての機能を併せ持った風呂リモコンが知られている。
【０００３】
この風呂リモコンでは、前面に液晶モニターを備えており、内部にはリモコン機能を発揮するリモコン部とテレビ装置としての機能を発揮するテレビ部とが配置されている。
【０００４】
一方、玄関にテレビカメラを備えた玄関子機を設置し、室内のインターホンの親機で訪問者を画像でチェックするインターホンが知られている。このインターホンを用いて訪問者を確認し、家族や友人であれば室内から玄関のロックを解除するロック解除機能を備えている場合がある。
【０００５】
ただし、訪問者が来訪したときに家人が誰もおらず入浴中であれば来訪者を確認することができない。そのため、インターホンの親機から送信される来訪者の画像を浴室に設置した風呂リモコンに表示させるようにしたシステムが知られている（例えば、特許文献１参照）。
【０００６】
【特許文献１】
特開２０００−２９２００１号公報（段落番号００１１、図１）
【０００７】
【発明が解決しようとする課題】
上述の風呂リモコンでは、例えばテレビ部を作動させて液晶モニターにテレビ部からの画像であるテレビ画像を表示させている状態で浴室子機に対して呼出があるとテレビ音声が邪魔で相手からの音声が聞き取れない場合が生じる。また、相手側に応答する際に浴室子機からインターホンの親機または他の子機に、テレビ音声が送信され、親機や他の子機を操作している者が浴室子機からの音声を聞き取れないという不具合が生じる。
【０００８】
そこで本発明は、上記の問題点に鑑み、上述のような不具合の生じないインターホン画像表示機能付き風呂リモコンを提供することを課題とする。
【０００９】
【課題を解決するための手段】
上記課題を解決するために本発明によるインターホン画像表示機能付き風呂リモコンは、浴室内に取り付けられ、給湯装置の作動を制御するリモコン部と、テレビ画像を表示するテレビ部と、リモコン部からの画像とテレビ部からの画像を択一的に表示するモニターとを備えると共に、少なくともテレビ音声を発音するスピーカ手段を備え、かつインターホンの親機または他の子機との間で通話する際に、インターホンの親機から送信されてきた画像をこのモニターに表示させる機能を有する風呂リモコンにおいて、モニターにテレビ画像を表示している状態でインターホンの親機または子機からの呼出があった場合に、テレビ音声を減音または消音することを特徴とする。
【００１０】
浴室子機に対して呼出があるとテレビ音声を自動的に減音または消音するようにしたので、親機や他の子機からの音声がテレビ音声によって邪魔されること無く聞き取ることができる。また、浴室子機から親機や他の子機への音声にテレビ音声が重畳しないので、浴室子機からの音声を親機や他の子機で聞く際に、聞き取りやすい。
【００１１】
なお、インターホンの親機または子機から呼出があった際にテレビ音声を減音し、浴室側から応答する際にテレビ音声を消音するようにしてもよい。
【００１２】
【発明の実施の形態】
図１を参照して、１は戸建ての家屋である。この家屋には給湯装置２１を中心に構成された給湯装置制御系統２と、インターホン親機４１を中心に構成されたインターホン系統４とが設置されている。
【００１３】
家屋１には浴室１１、台所兼居間１２、個室１３が設けられている。浴室１１には本発明による風呂リモコン３が設置されており、この風呂リモコン３は通信線３１を介して給湯装置２１に接続されている。また、給湯装置２１には台所兼居間１２に設置された台所リモコン２２が接続されている。
【００１４】
一方、インターホン親機４１にはテレビカメラを備えた玄関子機４２が接続されている。また、個室１３に設置された子機４３，４４がインターホン親機４１に接続されている。このインターホン親機４１にはさらに浴室子機５が通信線５１を介して接続されている。
【００１５】
なお、図１では戸建ての家屋に給湯装置制御系統２とインターホン系統４とを設けた実施の形態を示したが、マンション等の集合住宅に設置してもよい。なお、その際には、玄関子機４２はマンションの玄関部分に設置される。
【００１６】
図２を参照して、風呂リモコン３には液晶モニター３２が取り付けられている。また、この風呂リモコン３内には上記給湯装置２１の作動を制御するためのリモコン部が内蔵されている。さらに、液晶モニター３２にテレビ画像を表示させるためのテレビ部が内蔵されている。
【００１７】
テレビ部を作動させるための電源スイッチ３３が設けられており、この電源スイッチ３３を押すと液晶モニター３２のバックライトが点灯し、さらにテレビ部から出力されるテレビ画像が液晶モニター３２に映し出される。
【００１８】
一方、リモコン部を作動させるための電源スイッチ３４が設けられており、この電源スイッチ３４を押すとリモコン部の作動が開始される。ところで、上記台所リモコン２２にも電源スイッチ２２ａ（図１参照）が設けられており、電源スイッチ３４および電源スイッチ２２ａのいずれを押しても、風呂リモコン３のリモコン部と台所リモコン２２との双方の電源が入り、リモコンとしての作動が開始される。
【００１９】
ところで、風呂リモコン３のリモコン部およびテレビ部の双方とも電源が入っていない状態で、電源スイッチ３３を押せば上記のように液晶モニター３２にはテレビ画像が表示され、電源スイッチ３４または電源スイッチ２２ａを押せば液晶モニター３２にはリモコン用の表示がされる。
【００２０】
次に、液晶モニター３２にテレビ画像が表示されている状態で、かつリモコン部に電源が入っていない状態で電源スイッチ３４が押されると、リモコン部の電源が入ると共に液晶モニター３２の表示はリモコン用の表示に切り変わる。
【００２１】
このように、リモコン部とテレビ部との双方とも電源が入っていると、次に電源スイッチ３３が押されると液晶モニター３２の表示はテレビ画像に戻り、その後電源スイッチ３４が押されるとリモコン用に表示に戻るように構成されている。なお、その状態で続けて電源スイッチ３４を押せばリモコン部の電源が切れるようにした。同じくテレビ画像が表示されている状態で電源スイッチ３３を押せばテレビ部の電源が切れるようにした。３５は左右１対のスピーカであり、３６は各種設定用の十字キーである。
【００２２】
浴室子機５が外部から呼ばれると、ブザー音がスピーカ５４から発音される。すると、通話スイッチ５２を押しながらしゃべった内容がマイク５３で電気信号に変換され、他の子機もしくは親機４１に送信される。なお、５６は呼出スイッチであり、浴室子機５から例えばインターホン親機４１や子機４３，４４を呼び出す際に押すと相手側に呼び出し音が発音される。
【００２３】
ところで、風呂リモコン３と浴室子機５とは、３本のラインで接続されている。６１は玄関子機４２のカメラで撮像された画像を浴室子機５から風呂リモコン３へ送信するためのラインである。また、６２は給湯装置２１の作動状態を示す音声信号を風呂リモコン３側から浴室子機５へと送信するためのラインである。そして、６３は相互に制御信号を送受信するためのラインである。
【００２４】
５５はモニタースイッチであり、このモニタースイッチ５５を押すと玄関子機４２で撮像された画像が風呂リモコン３に出力されると共にその画像を液晶モニター３２に表示させる制御信号が風呂リモコン３に送信され、玄関の画像が液晶モニター３２に映し出される。なお、５７は玄関のロックを開錠および施錠するための施開錠スイッチである。
【００２５】
図２では風呂リモコン３と浴室子機５とを上下に離間して示したが、実際には両者の間に隙間を設けないように設置することによりデザイン上の一体感を出してもよく、あるいは風呂リモコン３と浴室子機５とを一体に作成してもよい。
【００２６】
図３を参照して、インターホン親機４１または玄関子機４２、その他の子機４３，４４から通話開始操作がされると（Ｓ１）、浴室子機５のスピーカ５４から呼び出し音が発音される（Ｓ２）。また、これと同時に浴室子機５から風呂リモコン３に対して通話開始操作がされたことを示す制御信号が送られる。
【００２７】
風呂リモコン３はこの制御信号を受信すると、風呂リモコン３の作動状態をサーチしてテレビ画像が液晶モニター３２に表示されているかどうかを判断する（Ｓ３）。液晶モニター３２にテレビ画像が表示されていると、左右一対のスピーカ３５からはテレビ音声が発音されている。そのため、そのスピーカ３５から発音されているテレビ音声をミュートする（Ｓ４）。このミュートはテレビ音声を減音してもよく、あるいはまったく発音しないように消音してもよい。
【００２８】
そして、例えば玄関子機４２からの呼出であれば、玄関子機４２で撮像された玄関の画像を液晶モニター３２に表示させる（Ｓ５）。このように液晶モニター３２の表示がテレビ画像からインターホンの画像に切り替わっても、テレビ部は作動しているのでスピーカ３５からはミュートが減音の場合には減音されたテレビ音声が発音されたままの状態になっている。液晶モニタ３２に表示されたインターホンの画像を見て浴室リモコン５から応答する際には通話スイッチ５２を押してマイク５３に話しかける（Ｓ６）。
【００２９】
親機や他の子機との通話が終了すると（Ｓ７）、先に行ったミュートを解除し、テレビ音声をもとのレベルまで復帰させたあと、通話を終了する（Ｓ８，Ｓ９）。なお、呼び出し音があった後テレビ音声を減音し、通話スイッチ５２を押してマイク５３に話しかけている間だけテレビ音声を消音するようにしてもよい。
【００３０】
また、上述のステップＳ５では液晶モニター３２の画像をテレビ画像からインターホンの画像に完全に切り替えたが、図４に示すように、液晶モニター３２に子画面３２ａを設定し、テレビ画像を表示させたままの状態で、この子画面３２ａにインターホンの画像を表示させるようにしてもよい。
【００３１】
【発明の効果】
以上の説明から明らかなように、本発明は、風呂リモコンでテレビ画像を見ている状態でインターホンを介して外部から浴室に呼出がされたときに、テレビ音声を自動的に減音または消音するので、外部からの音声をテレビ音声に邪魔されることなく聞き取ることができる。また、浴室側から外部への音声にテレビ音声が重畳されないので、浴室からの音声をテレビ音声に邪魔されることなく聞き取ることができる。
【図面の簡単な説明】
【図１】本発明の一実施の形態の構成を示す図
【図２】風呂リモコンと浴室子機との関係を示す図
【図３】テレビ音声のミュートタイミングを示すフロー図
【図４】液晶モニターの他の表示スタイルを示す図
【符号の説明】
１  家屋
２  給湯装置制御系統
３  風呂リモコン
４  インターホン系統
５  浴室子機
１１  浴室
１２  台所兼居間
２１  給湯装置
２２  台所リモコン
４１  インターホン親機
４２  玄関子機
【図１】
2004293973.tif 000003
【図２】
2004293973.tif 000004
【図３】
2004293973.tif 000005
【図４】
2004293973.tif 000006